(57)【要約】【課題】  構造ユニットを１つの外装部材で覆う構成では、電子機器を落下させたときなどの大きな衝撃によって電子機器が破損してしまうことがある。【解決手段】  機器本体の内部を構成する構造ユニット（５０）と、構造ユニットを覆う第１の外装部材（１、２）と、第１の外装部材のうち構造ユニットの重心に近い一部の領域を覆う第２の外装部材（３）とを有する。【選択図】  図４
2005084636.tif 000002
【特許請求の範囲】
【請求項１】
機器本体の内部を構成する構造ユニットと、
該構造ユニットを覆う第１の外装部材と、
該第１の外装部材のうち前記構造ユニットの重心に近い一部の領域を覆う第２の外装部材とを有することを特徴とする電子機器。
【請求項２】
前記第１の外装部材が２つの部材で構成されており、
前記第２の外装部材が、前記２つの部材の合わせ部分を覆うことを特徴とする請求項１に記載の電子機器。
【請求項３】
前記構造ユニットが、機器本体に対して片寄って配置されたレンズユニットを含むことを特徴とする請求項１に記載の電子機器。
【請求項４】
前記第１の外装部材のうち前記第２の外装部材で覆われている側とは反対側の領域に、ストラップを取り付けるための取り付け部が設けられていることを特徴とする請求項１又は２に記載の電子機器。
【請求項５】
前記構造ユニットの一部として、機器本体の前面に配置され、物体に照明光を照射する照明ユニットを有しており、
前記照明ユニットおよび前記第２の外装部材が互いに当接する面を有し、これら各面の一部が前記照明ユニットの前面における長手方向に対して傾斜していることを特徴とする請求項１又は２に記載の電子機器。
【発明の詳細な説明】
【技術分野】
【０００１】
本発明は、カメラ等の電子機器に関するものである。
【背景技術】
【０００２】
従来のカメラは、この内部構造物が前カバーと後カバーで覆われた構成となっている（例えば、特許文献１参照）。
【特許文献１】特開平１１−２６１８５８号公報
【発明の開示】
【発明が解決しようとする課題】
【０００３】
従来のカメラにおいては、ストラップリングにストラップを通し、このストラップを介してカメラを保持することが多い。このようにストラップをつかんでカメラを保持している状態において、手を滑らしてストラップを離してしまうと、ストロボユニット側が地面を向いた状態で落下してしまう。この場合、カメラが地面等と衝突することによって、ストロボユニット側のフロントカバーおよびリアカバーの境目が開いたり、ストロボユニットが故障したりしてしまうことがある。
【０００４】
そこで、本発明は、落下しても壊れにくい電子機器を提供することを目的とする。
【課題を解決するための手段】
【０００５】
本発明の電子機器は、機器本体の内部を構成する構造ユニットと、構造ユニットを覆う第１の外装部材と、第１の外装部材のうち前記構造ユニットの重心に近い一部の領域を覆う第２の外装部材とを有することを特徴とする。
【発明の効果】
【０００６】
本発明によれば、構造ユニットを覆う第１の外装部材に加えて、第１の外装部材のうち構造ユニットの重心に近い一部の領域を第２の外装部材で覆うことにより、例えば、電子機器を落下させてしまった際に電子機器に加わる衝撃を軽減することができ、電子機器の破損を防止することができる。すなわち、電子機器を落下させてしまったときには、構造ユニットの重心に近い側の面で地面等に衝突することが多いため、この領域を第２の外装部材で補強することで、電子機器の強度を向上させることができる。
【０００７】
特に、バッテリー等の収納スペースを確保するために、構造ユニット（例えば、カメラのレンズユニット）を機器本体に対して片側に寄せて配置することがあり、このような構成では、電子機器（構造ユニット）の重心側から電子機器が落下することがある。
【０００８】
ここで、第１の外装部材が２つの部材で構成されている場合には、第２の外装部材によって上記の２つの部材の合わせ部分を覆うことによって、電子機器が外部から衝撃を受けた際に２つの部材の合わせ部分が開いてしまうのを防止することができる。
【０００９】
また、第１の外装部材のうち第２の外装部材で覆われている側とは反対側の領域に、ストラップを取り付けるための取り付け部を設けることができる。ここで、取り付け部にストラップを付けて電子機器を保持しているときには、第２の外装部材が配置されている側が地面の方向を向いているため、ストラップから手を離して電子機器を落としてしまうことがあっても、第２の外装部材によって地面との衝撃を軽減することができ、第１の外装部材や構造ユニットの一部が破損してしまうのを防止することができる。
【００１０】
一方、構造ユニットの一部として、機器本体の前面に配置され、物体に照明光を照射する照明ユニットを有する電子機器において、照明ユニットおよび第２の外装部材が、互いに当接する面を有し、これら各面の一部を照明ユニットの前面における長手方向に対して傾斜させることができる。これにより、第２の外装部材を第１の外装部材から取り外すときに、第２の外装部材および照明ユニットにおける当接面の傾斜を利用することで、第２の外装部材を照明ユニットと干渉させることなく、容易に取り外すことができ、部品交換が容易となる。
【発明を実施するための最良の形態】
【００１１】
以下、本発明の一実施例について説明する。
【実施例１】
【００１２】
図１は、本発明の実施例１であるカメラ（電子機器）の外観斜視図である。図２は、カメラを正面側から見たときのカメラの分解斜視図であり、図３は、カメラを背面側から見たときのカメラの分解斜視図である。
【００１３】
これらの図において、１はカメラの正面側（カメラの側面の一部を含む）を覆うフロントカバーであり、２はカメラの背面側（カメラの側面の一部を含む）を覆うリアカバーである。これらのカバー１、２は、ステンレス等の薄板で構成されている。
【００１４】
３はサイドカバーであり、フロントカバー１およびリアカバー２に装着され、フロントカバー１およびリアカバー２の一部、すなわち、カメラ本体の一方の側面（カメラ正面向かって右側の側面）と、上面および下面の一部を覆うようになっている。
【００１５】
４は撮影レンズ等を保持するレンズ鏡筒であり、光軸方向に繰り出したり繰り込んだりすることによって、撮影光学系の焦点距離を変更する。撮影光学系によって形成された被写体像は、ＣＣＤやＣＭＯＳイメージセンサ等の撮像素子（不図示）によって光電変換される。そして、撮像素子から出力された画像データは、画像処理回路で画像処理（色処理等）された後、カメラ内に収納された記録媒体に記録されたり、後述するＬＣＤパネル２６に出力されて被写体画像として表示されたりする。
【００１６】
レンズ鏡筒４は、カメラ本体に対して右側に片寄った位置に配置されている。ここで、フロントカバー１には、レンズ鏡筒４の動作を許容するための穴部１ｂが形成されている。
【００１７】
５はストラップ（不図示）を取り付けるためのストラップリングであり、フロントカバー１のうちカメラ正面向かって左側に設けられている。
【００１８】
フロントカバー１およびリアカバー２には、スピーカー穴部１ａ、２ａが形成されており、このスピーカー穴部１ａ、２ａのうち一部の穴部は、カバー１、２に対して貫通しており、他の穴部はカバー１、２の内側に突出した形状に形成されている。
【００１９】
６はベース部材であり、カメラ内に配置される各種の部品を保持する。７はバッテリー保持部材であり、カメラ内に挿入されるバッテリー８を保持する。ここで、バッテリー保持部材７およびベース部材６によってバッテリー８が収納されるスペース（バッテリーケース）が形成される。
【００２０】
バッテリー保持部材７の端部には、蓋部材９および蓋スライド部材１０とで構成される蓋ユニット１１が、軸１１ａ、１１ｂを介して回転可能に取り付けられている。すなわち、バッテリーケース内にバッテリー８を収納する場合には、まず蓋スライド部材１０を所定方向にスライド操作し、蓋部材９を軸１１ａ、１１ｂを回転軸として回転させることで、バッテリーケースの開口部を開くことができる。この状態で、バッテリー８をバッテリーケース内に収納し、蓋ユニット１１を閉じればバッテリー８の収納動作は終了する。
【００２１】
バッテリー保持部材７の上部には、操作フレキ基板１２と、特定の音声（例えば、操作音や動画撮影時の音声）を発するスピーカー１３が配置されている。操作フレキ基板１２には、撮影準備動作（撮影光学系の焦点調節動作および測光動作等）および撮影動作（撮像素子から読み出された画像データの記録）を開始させるためのレリーズＳＷ１２ａと、カメラの電源をON/OFFするための電源ＳＷ１２ｂが実装されている。
【００２２】
スピーカー１３の上方には、弾性を有するウレタンフォームなどの緩衝部材１４およびカメラ外部からスピーカー１３への水の浸入を防止する撥水シート１５が配置されており、これらの部材１４、１５はスピーカー保持部材１６によってバッテリー保持部材７に固定される。
【００２３】
レリーズボタン１８および電源ボタン１９は、不図示のばね部材を介してボタン保持部材１７に保持されている。このボタン保持部材１７は、ベース部材６の腕部６ａおよびスピーカー保持部材１６によって操作フレキ１２の上部に固定されている。
【００２４】
２０は、バッテリー８の接片８ａ〜８ｃを保持する接片保持部材であり、この接片保持部材２０に形成された爪部がバッテリー保持部材７に係合することによって、バッテリー保持部材７に固定される。
【００２５】
２１はストロボ保持部材であり、被写体に照明光を照射する発光部２１ａと、発光部２１ａの背面側に配置され、照明光を照射させる際のエネルギを蓄積するコンデンサ２４とを保持する。このストロボ保持部材２１は、ベース部材６に固定される。
【００２６】
また、ストロボ保持部材２１のうち発光部２１ａからカメラ下側に延びる領域には、ストロボ回路および電源回路が実装されたフレキ基板２２が固定されている。このフレキ基板２２は、ストロボ保持部材２１に対してカメラ前後方向に配置され、各種の電気部品が実装される基板部と、これらの基板部をつなぐフレキ部とで構成されている。そして、フレキ保護部材２３は、フレキ基板２２のフレキ部を覆うように配置されている。
【００２７】
一方、フレキ基板２２の基板部のうちカメラ前側に位置する基板部は、この一端において、接片保持部材２０に保持されたバッテリー８の接片に接続されており、バッテリー８からの電力を直接電源回路に入力するように構成されている。なお、フレキ保護部材２３の一部の領域２３ａはバネ性を有しており、後述するようにサイドカバー３を組み付けた際に、サイドカバー３に対して付勢した状態で接触する。これにより、フレキ保護部材２３は、カメラの外部からサイドカバー３に加えられた衝撃をフレキ基板２２に伝達させることなく、フレキ基板２２を保護する役割を果たす。
【００２８】
２５は、ＬＣＤパネル２６およびＬＣＤ表示用の不図示のバックライトを保持するためのＬＣＤホルダーであり、引っ掛け部２５ａおよび不図示のビスによってベース部材６に固定される。なお、ＬＣＤパネル２６は、フレキシブルプリント配線基板２６ａを介して後述するメイン基板２７に実装された制御回路に接続されており、制御回路からの出力に基づいて撮影情報や撮影画像といったデータを表示する。
【００２９】
ＬＣＤホルダー２５の一端に形成された突部２５ｂは、ばね性を有しており、リアカバー２に接触するように構成されている。これにより、リアカバー２とベース部材６の通電性を確保している。ここで、リアカバー２には、ＬＣＤパネル２６をカメラ外部に露出させる穴部２ｂが形成されている。
【００３０】
２７は、カメラの制御回路や画像処理回路等が実装されたメイン基板であり、ビス２８ａ、２８ｂによってベース部材６に固定されるとともに、ビス２８ｃによってフレキ保護部材２３とともにストロボ保持部材２１に固定される。これによりフレキ保護部材２３を介してメイン基板２７とサイドカバー３の通電が確保される。
【００３１】
２９はモード切替ボタンであり、カメラ本体の左右方向にスライド操作することによってカメラの動作モードを切り替えることができる。具体的には、静止画撮影モード（ＲＥＣ ＭＯＤＥ）、動画撮影モード（ＭＯＶＩＥ ＭＯＤＥ）、再生モード（ＰＬＡＹ ＭＯＤＥ）のモード選択を行うことができる。
【００３２】
モード切替ボタン２９は、取り付け部材３０によってリアカバー２にスライド動作可能な状態で取り付けられており、モード切替ボタン２９のうちリアカバー２の内側に位置する部分には、モード接片３１がネジによって固定されている。
【００３３】
モード接片３１は、操作フレキ１２に形成された導通パターン１２ｃに接触するように構成されており、モード切替ボタン２９の操作に応じて導通パターン１２ｃ上を摺動することによって所定の信号を出力するようになっている。この出力信号は、メイン基板２７上の制御回路に送られ、制御回路は入力された信号に応じてカメラの動作モードを切り替える。
【００３４】
３２はカメラ本体の下面に配置された三脚ねじ座であり、不図示の三脚に設けられたねじと係合するネジ穴部を有している。この三脚ねじ座３２は、ビス３２ａ、３２ｂによってベース部材６に固定される。
【００３５】
３３、３４ａ、３４ｂは操作ボタンであり、操作ボタンベース部材３５に貼り付けられている。操作ボタン３３はいわゆる十字ボタンで構成されており、この十字ボタンを操作することにより、例えば、ＬＣＤパネル２６に表示された情報を上下左右方向で切り換えることができる。ここで、リアカバー２には、操作ボタン３３、３４ａ、３４ｂをカメラ外部に露出させる穴部２ｃが形成されている。
【００３６】
操作ボタンベース部材３５のうち各操作ボタン３３、３４ａ、３４ｂに対応する領域には、導電部材が貼り付けてあり、操作ボタン３３、３４ａ、３４ｂを押すと導電部材が操作フレキ１２上のパターンに接触して通電するように構成されている。この信号は制御回路に入力され、制御回路は入力信号に応じた動作を行う。
【００３７】
操作フレキ１２および操作ボタンベース部材３５は、ベース部材６に設けられた不図示のボスによってそれぞれの相対的な位置がずれないように位置決めがなされている。
【００３８】
３６はジャック基板であり、不図示の外部機器（例えば、ＰＣ、プリンタおよびＴＶ）と映像や音声を通信するためのジャックおよびＵＳＢコネクターが実装されている。
【００３９】
次に、図４を用いて、ベース部材６に上述した各種の部材を取り付けて構成された構造ユニットを、フロントカバー１、リアカバー２およびサイドカバー３で覆ってカメラを組み立てる工程について説明する。
【００４０】
ベース部材６に固定された各種の部材の位置調整を行った後、フロントカバー１およびリアカバー２を取り付ける。具体的には、まず、構造ユニット５０のカメラ前面側をフロントカバー１で覆い、フロントカバー１をビス３７によってベース部材６に固定する。このとき、フロントカバー１のスピーカー穴部１ａのうちフロントカバー１の内側に突出している突起部が、スピーカー保持部材１６に形成された穴部のふち１６ａに引っ掛けられる。
【００４１】
また、フロントカバー１には、発光部２１ａが貫通する穴部１ｃが形成されており、フロントカバー１を構造ユニット５０に取り付けた状態で、発光部２１ａの前面がフロントカバー１の前面に露出する。ここで、発光部２１ａの前面のうちカメラ下側の領域は、フロントカバー１の表面と連続した面で構成され、発光部２１ａの前面のうちカメラ上側の領域は、フロントカバー１の表面から突出するようになっている。
【００４２】
次に、構造ユニット５０のカメラ背面側をリアカバー２で覆い、リアカバー２をビス３８によってベース部材６に固定する。このとき、リアカバー２のスピーカー穴部２ａのうちリアカバー２の内側に突出している突起部が、スピーカー保持部材１６に形成された穴部のふち１６ｂに引っ掛けられる。
【００４３】
このように、フロントカバー１およびリアカバー２に形成された突起部を、構造ユニット５０における穴部（スピーカー保持部材１６の穴部）に引っ掛けることで、フロントカバー１およびリアカバー２がカメラ本体の前後方向に開くのを防止できる。
【００４４】
また、スピーカー保持部材１６は、緩衝部材１４によってカメラ上方に持ち上げられるようになっているため、カバー１、２と密着し、カバー１、２の突起部がスピーカー保持部材１６の穴部から外れにくくしている。
【００４５】
フロントカバー１およびリアカバー２を構造ユニット５０に組み込んだ後、カバー１、２に対してサイドカバー３を発光ユニット２１側からカメラ本体の横方向にスライドさせることで、サイドカバー３を組み込む。
【００４６】
ここで、サイドカバー３の一端には爪部３ａ、３ｂが形成されており、この爪部３ａ、３ｂそれぞれを、フロントカバー１およびリアカバー２に形成された係合部１ｄ、２ｄの内側と当接させる。これにより、サイドカバー３の一端側がカバー１、２に対して浮き上がるのを防止することができる。
【００４７】
また、フロントカバー３とカバー１、２は、爪部３ａ、３ｂを係合部１ｄ、２ｂに係合させた状態において、カメラ本体の上面に位置するサイドカバー３およびカバー１、２の表面が連続した面となるように構成されている。これにより、サイドカバー３とカバー１、２にビス等で固定する場合に比べて、カメラの外観上の品位を高めることができる。
【００４８】
そして、サイドカバー３をカバー１、２に組み込んだ状態において、ビス３９をカメラ本体の側面側からねじ込むとともに、ビス４０ａ、４０ｂをカメラ本体の下面側からねじ込むことで、サイドカバー３をカバー１、２に固定させる。これにより、カメラの組み立てが終了する。
【００４９】
サイドカバー３は、一方向に延びる平板状の部材の側辺（長手方向に延びる側辺）を内側に曲げて略コの字状に形成した後、さらに、この長手方向における２箇所で折り曲げて略コの字状に形成することで、図４に示すような形状となる。
【００５０】
このような形状のサイドカバー３をカバー１、２に組み込むことにより、カメラ本体の上面および下面の一部と、カメラ本体の一側面を覆うことができ、カバー１、２の補強を行うことができる。すなわち、サイドカバー３は、フロントカバー１およびリアカバー２の合わせ部分を覆うことにより、カメラを落下させてしまったときの衝撃でカバー１、２の合わせ部分が開いてしまうのを防止することができる。
【００５１】
本実施例のカメラでは、カバー１、２内に配置されるカメラを構成する部材、例えば、レンズ鏡筒４や発光部２１ａがカメラ本体の中央よりも右側に寄せて配置されているため、カメラの重心がカメラ本体の右側に片寄っていることになる。このため、カメラを落下させてしまった場合には、カメラの重心に近い側から地面等に落下してしまうことがある。また、ストラップリング５にストラップを取り付け、ストラップを介してカメラを保持している場合において、ストラップから手を離してしまったときに、カメラの右側面から地面等に衝突してしまう。
【００５２】
本実施例では、サイドカバー３をカメラの重心に近い側に設けることにより、カメラを落下させてしまった際にサイドカバー３によって衝撃を軽減することで、フロントカバー１およびリアカバー２の合わせ部分が開いてしまったり、発光部２１ａが破損してしまったりするのを防止することができる。
【００５３】
しかも、サイドカバー３は、フロントカバー１やリアカバー２の折れ曲がっている部分（カメラの端部）も覆っているため、これらの部分に加わる衝撃を軽減することもできる。
【００５４】
図５は本実施例であるカメラの正面図であり、図５（ａ）は、サイドカバー３をカバー１、２に組み込んだ状態を示し、図５（ｂ）は、サイドカバー３をカバー１、２から取り外した状態を示している。
【００５５】
同図において、４１は発光部２１ａの前面に配置されたプリズムパネルであり、発光部２１ａから射出される照明光の照射角度を調節する。プリズムパネル４１のうちカメラ下側の領域は、フロントカバー１の表面と連続する面で構成されており、プリズムパネル４１のうちカメラ上側の領域は、サイドカバー３の表面と連続する面で構成されている。
【００５６】
一方、プリズムパネル４１の一部には傾斜部４１ａが形成されているとともに、サイドカバー３のうち傾斜部４１ａに対応する領域には傾斜部３ｃが形成されている。サイドカバー３をカバー１、２に組み込んだ状態（図５（ａ））では、傾斜部４１ａおよび傾斜部３ｃが当接するようになっている。
【００５７】
ここで、サイドカバー３をカバー１、２から取り外す際には、まず、サイドカバー３の爪部３ａ、３ｂがカバー１、２の係合部１ｄ、２ｂから外れるまでサイドカバー３をカメラ本体の横方向にスライドさせる必要がある。このとき、サイドカバー３の傾斜部３ｃは、プリズムパネル４１の傾斜部４１ａに沿って移動して、サイドカバー３を変形させながら、サイドカバー３を取り外すことができる。
【００５８】
ここで、サイドカバー３およびプリズムパネル４１に傾斜部３ｃ、４１ａを形成しない場合、すなわち、傾斜部３ｃ、４１ａに相当する領域を略直角に形成した場合には、サイドカバー３をカメラ左右方向にスライドさせながら取り外す際に、サイドカバー３によってプリズムパネル４１を傷つけてしまうことがある。
【００５９】
しかし、本実施例では、サイドカバー３に傾斜部３ｃを設け、プリズムパネル４１に傾斜部４１ａを設けることによって、サイドカバー３をカバー１、２から取り外す際にも、サイドカバー３の傾斜部３ｃをプリズムパネル４１の傾斜部４１ａに沿って移動させることで、サイドカバー３がプリズムパネル４１に引っ掛かってプリズムパネル４１を傷つけるといったことを防止することができ、サイドカバー３を容易に取り外すことができる。
【００６０】
なお、サイドカバー３をカバー１、２に組み込む際には、サイドカバー３をプリズムパネル４１の端部に当接させるだけであるため、プリズムパネル４１を傷つけることはない。
【００６１】
上述した実施例では、カメラについて説明したが、他の電子機器、例えば、携帯電話といった携帯型電子機器にも本発明を適用することができる。
【図面の簡単な説明】
【００６２】
【図１】本発明の実施例であるカメラの外観斜視図。
【図２】本発明の実施例であるカメラの分解図。
【図３】本発明の実施例であるカメラの分解図。
【図４】本発明の実施例であるカメラの分解図。
【図５】本発明の実施例であるカメラにおけるサイドカバーの着脱を説明する図。
【符号の説明】
【００６３】
１  フロントカバー
２  リアカバー
３  サイドカバー
４  レンズ鏡筒
５  ストラップリング
６  ベース部材
７  バッテリー保持部材
８  バッテリー
９  蓋部材
１０  蓋スライド部材
１１  蓋ユニット
１２  操作フレキ基板
１３  スピーカー
１４  緩衝部材
１５  撥水シート
１６  スピーカー保持部材
１７  ボタン保持部材
１８  レリーズボタン
１９  電源ボタン
２０  接片保持部材
２１  ストロボ保持部材
２２  フレキ基板
２３  フレキ保護部材
２４  コンデンサー
２５  ＬＣＤホルダー
２６  ＬＣＤパネル
２７  メイン基板
２８ａ、２８ｂ  ビス
２９  モード切替ボタン
３０  取り付け部材
３１  モード接片
３２  三脚ねじ座
３３  十字ボタン
３４ａ、３４ｂ  操作ボタン
３５  操作ボタンベース部材
３６  ジャック基板
３７  ビス
３８  ビス
３９  ビス
４０ａ、４０ｂ  ビス
４１  プリズムパネル
【図１】
2005084636.tif 000003
【図２】
2005084636.tif 000004
【図３】
2005084636.tif 000005
【図４】
2005084636.tif 000006
【図５】
2005084636.tif 000007
【手続補正書】
【提出日】平成16年12月2日(2004.12.2)
【手続補正１】
【補正対象書類名】特許請求の範囲
【補正対象項目名】全文
【補正方法】変更
【補正の内容】
【特許請求の範囲】
【請求項１】
撮像素子と、前記撮像素子に光を結像するレンズとを含む撮像ユニットを有する電子機器であって、
該電子機器における少なくとも前面と、上面、下面及び一方の側面の一部とを構成する第１の外装部材と、
該電子機器における少なくとも背面と、上面、下面及び一方の側面の一部とを構成する第２の外装部材と、
前記上面、前記下面及び前記一方の側面における前記第１及び第２の外装部材の接続部分を覆うとともに、前記第１及び第２の外装部材における前記前面及び前記一方の側面の境界部分と前記背面及び前記一方の側面の境界部分とを覆うように設けられ、かつ一体的に形成された第３の外装部材とを有し、
前記撮像ユニットは、前記一方の側面側に設けられていることを特徴とする電子機器。
【請求項２】
撮像素子と、前記撮像素子に光を結像するレンズとを含む撮像ユニットを有する電子機器であって、
該電子機器における少なくとも前面と、上面、下面及び一方の側面の一部とを構成する第１の外装部材と、
該電子機器における少なくとも背面と、上面、下面及び一方の側面の一部とを構成する第２の外装部材と、
前記上面のうち他方の側面側に設けられたレリーズボタンと、
前記上面、前記下面および前記一方の側面における前記第１及び第２の外装部材の接続部分であって、前記レリーズボタンの位置及び前記レリーズボタンに対して前記一方の側面側の部分を覆うように設けられ、かつ一体的に形成された第３の外装部材とを有し、
前記撮像ユニットは、前記一方の側面側に設けられていることを特徴とする電子機器。
【請求項３】
バッテリを保持するバッテリ保持部材を有し、
該バッテリ保持部材は、前記第１及び第２の外装部材によって覆われ、他方の側面側に設けられていることを特徴とする請求項１又は２に記載の電子機器。
【請求項４】
前記第２の外装部材側に設けられ、前記撮像素子を用いて撮像された画像を表示する表示部材を有することを特徴とする請求項１から３のいずれか１つに記載の電子機器。
【請求項５】
被写体に照明光を照射する照明ユニットを有し、
該照明ユニットは、前記第１の外装部材側であって、前記一方の側面側に設けられていることを特徴とする請求項１から４のいずれか１つに記載の電子機器。
【請求項６】
前記第１の外装部材のうち他方の側面側の領域に設けられ、ストラップを取り付けるための取り付け部を有することを特徴とする請求項１から５のいずれか１つに記載の電子機器。
【請求項７】
他方の側面側に設けられ、ストラップを取り付けるための取り付け部を有することを特徴とする請求項１から５のいずれか１つに記載の電子機器。
【手続補正２】
【補正対象書類名】明細書
【補正対象項目名】０００５
【補正方法】変更
【補正の内容】
【０００５】
本発明は、撮像素子と、前記撮像素子に光を結像するレンズとを含む撮像ユニットを有する電子機器であって、該電子機器における少なくとも前面と、上面、下面及び一方の側面の一部とを構成する第１の外装部材と、該電子機器における少なくとも背面と、上面、下面及び一方の側面の一部とを構成する第２の外装部材と、前記上面、前記下面及び前記一方の側面における前記第１及び第２の外装部材の接続部分を覆うとともに、前記第１及び第２の外装部材における前記前面及び前記一方の側面の境界部分と前記背面及び前記一方の側面の境界部分とを覆うように設けられ、かつ一体的に形成された第３の外装部材とを有し、前記撮像ユニットは、前記一方の側面側に設けられていることを特徴とする。